(57)【特許請求の範囲】
【請求項１】
下方に角部を有する前方側板と、後方側板と、該前方側板と後方側板を一定の間隔に連結するＶ字状に接結された左右の連結斜板とで形成された上方開口部を有し内部が中空の箱体が、前方側板の適宜位置から後方側板の角部方向に斜め下方向に切り落とされて傾斜した３角形状の下方開口部が形成されていることを特徴とする水切りラック。 
【請求項２】
３角形状の下方開口部の下端角部が、後方側板に到達していることを特徴とする請求項１記載の水切りラック。
【請求項３】
３角形状の下方開口部の下端角部が、左右の連結斜板がＶ字状に互いに接結する接結線上にあって、下端角部と後方側板間に、Ｖ字状に接結した連結斜板によって受け部が形成されていることを特徴とする請求項１記載の水切りラック。
【請求項４】
前方側板と後方側板が上方に向かって、適宜開き目に形成されていることを特徴とする請求項１記載の水切りラック。
【請求項５】
後方側板に取り付け具を設けると共に、安定用部材を有していることを特徴とする請求項１記載の水切りラック。
【請求項６】
前方側板、後方側板、並びに左右の連結斜板に、選択的に開口部が形成されていることを特徴とする請求項１記載の水切りラック。
【請求項７】
前方側板が、下方開放口の上辺より下方に延端部を有していることを特徴とする請求項１記載の水切りラック。
【発明の詳細な説明】
【技術分野】
【０００１】
本発明は、洗い物等に使用するスポンジ等の使用後の水切り手段に関し、詳しくは、主に直方体状のキッチンスポンジの水切りに使用する水切りラックに関する。
【背景技術】
【０００２】
台所用品として洗い物等に使用する、いわゆるキッチンスポンジは、使用後、衛生上の観点から水切りを行う。この水切りにいわゆる水切りラックが使用されている。
使用後の水を含んだキッチンスポンジを水切りラックに投げ込んでおくだけで、重力に従って水が自然落下するものである。
水切りラックは、使用後の収納場所として使用されるとともに、水切りを行う道具となる。
【０００３】
このような水切りラックには、例えば、特許文献１に見られるように、底面が傾斜していて水切り孔が設けられ、これを吸着盤で設置するボックスタイプのものがある。
このタイプの水切りラックにキッチンスポンジを投げ込むと底面の傾斜角度に従ってキッチンスポンジが収納され、水切りが行われる。
要するにキッチンスポンジを斜めにおくことで水が下方に向かって集束し易く、効率的に水切りが行われる原理である。
【０００４】
この効率的な水切り手段については、特許文献２に、直方体形状のキッチンスポンジの１つの短辺、もしくは１つの角が最下方に向くように仕立てた水切りラックで、該水切りラックの下端部が四角形状に開放されていて水の自然落下の効率をあげる手段が示されている。
【０００５】
また、特許文献３には、三角柱状のキッチンスポンジ等の水切りに使用する水切りラックが紹介されている。
左右の壁面を排除して、水切りラック自体の洗浄の不便さを防ぐ効果を水切り効果と併せて主張しているものである。
【先行技術文献】
【特許文献】
【０００６】
【特許文献１】昭６１−１７４５６７号公開実用新案公報
【特許文献２】特許第３８９２８９６号公報
【特許文献３】実用新案登録第３１６０４９３号公報
【発明の概要】
【発明が解決しようとする課題】
【０００７】
上記に示したように従来の水切りラックには、水切りの効果を向上させるために多くの提案がなされてきた。
そして、これらの提案に共通することは、水切りラックがキッチンスポンジを傾斜状態で受け止めて水の自然落下の効率を上げようとする点である。
この視点からは、上記特許文献２に見られる水切りラックは、直方体形状のキッチンスポンジが、その１つの短辺、もしくは１つの角が最下方に位置して収納されるように仕立てられていて、水を極力、集中させると共に、水切りラックの下方を４角形状に開放し、そこから顔を出したキッチンスポンジの下端部近傍からの水切りの障害とならいように工夫されていて、使用者から一定の評価を得ている。
【０００８】
ところが、このように水切りラックの下方を開放して水の自然落下を助けているものの、開放口が４角形であることから、四角形の４辺はいずれも、ほぼ水平状態となっていて、これらの内、特に左右の側板がキッチンスポンジの１角を両側から囲い込む状態となり、この接触箇所に水が一旦、滞ることとなる。
特に水を含んだキッチンスポンジは、一定の重量があるので、水切りラックの開放口の縁にキッチンスポンジが押しつけられるように接触することとなり、水の自然落下の妨げとなる。
【０００９】
更に、開放口が四角形である場合には、水を含んだキッチンスポンジ自体の重みにより、キッチンスポンジの一角が、その開放口から顔を出し、再度、キッチンスポンジを使用する際に、顔を出した部分が水切りラックの開放口から、抜けきれず、いちいち水切りラックごと持ち上げてしまう現象が生じ、極めて使い勝手が悪い問題がある。
【００１０】
キッチンスポンジ等のような洗い物に使用する台所製品については、使用後、例えば使用者である主婦が手で絞り込むことで大半の水が抜けることは事実であるが、煩雑な台所作業の中で、一度使用したキッチンスポンジをその都度絞り込むことは、現実的でないのがほとんどの使用者の意見である。
このような背景において、使用後のキッチンスポンジを単に投げ入れるだけで水が自然に抜ける水切りラックの存在は極めて有効であり、可能な限り、効率の良い水切り効果と使い勝手の良さが求められている。
【００１１】
本発明は、以上のような諸事情を背景になされたものである。
すなわち、本発明は、使用後のキッチンスポンジを水切りラックに入れ、そのまま放置しておくだけで、その水を効率的に水切りして排除し、しかも使い勝手の良い水切りラックを提供することを目的とする。
【課題を解決するための手段】
【００１２】
上記課題を解決するために、鋭意、研究した結果、下方に角部２１を有する前方側板１、並びに後方側板２と、該前方側板１と後方側板２を連結する左右の連結斜板３２とで箱体Ｂを形成し、該箱体Ｂの下方を斜めに切り落として３角形状の下方開口部５を設けることにより、該下方開口部５の２辺の斜め稜線５２による水切り効果を得ると共に、キッチンスポンジＫの厚み方向の露出面積を、少なくすることで、使用するキッチンスポンジＫが下方開口部５に嵌り込む問題を解決したものである。
【００１３】
即ち、本発明は、（１）、下方に角部を有する前方側板と、後方側板と、該前方側板と後方側板を一定の間隔に連結するＶ字状に接結された左右の連結斜板とで形成された上方開口部を有し内部が中空の箱体が、前方側板の適宜位置から後方側板の角部方向に斜め下方向に切り落とされて傾斜した３角形状の下方開口部が形成されている水切りラックに存する。  
【００１４】
即ち、本発明は、（２）、３角形状の下方開口部の下端角部が、後方側板に到達している上記（１）記載の水切りラックに存する。
【００１５】
即ち、本発明は、（３）、３角形状の下方開口部の下端角部が、左右の連結斜板がＶ字状に互いに接結する接結線上にあって、下端角部と後方側板間に、Ｖ字状に接結した連結斜板によって受け部が形成されている上記（１）記載の水切りラックに存する。
【００１６】
即ち、本発明は、（４）、前方側板と後方側板が上方に向かって、適宜開き目に形成されている上記（１）記載の水切りラックに存する。
【００１７】
即ち、本発明は、（５）、後方側板に取り付け具を設けると共に、安定用部材を有していることを特徴とする上記（１）記載の水切りラックに存する。
【００１８】
即ち、本発明は、（６）、  前方側板、後方側板、並びに左右の連結斜板に、選択的に開口部が形成されている上記（１）記載の水切りラックに存する。
【００１９】
即ち、本発明は、（７）、前方側板が、下方開放口の上辺より下方に延端部を有している上記（１）記載の水切りラックに存する。     
【００２０】
なお、本発明の目的に沿ったものであれば上記（１）〜（７）を適宜組み合わせた構成も採用可能である。
【発明の効果】
【００２１】
本発明の水切りラックは、下方に傾斜した３角形状の下方開口部を有していて、下端角部を挟む２辺の斜め稜線に、キッチンスポンジ自体がその重みで適度な強さで接触することとなり、収納したキッチンスポンジを絞り込む作用が働き、絞られた水が２辺の斜め稜線にそって下方開口部の下端角部に向かって流路を形成することで水が集中し、水切り効率が良くなる。
【００２２】
そして、本発明の水切りラックが、下方開口部の下端角部が、左右の連結斜板の接結線上にあって、下端角部と後方側板間に受け部を形成している場合には、投げ入れられたキッチンスポンジが受け部で受け止められるので、キッチンスポンジが下方開口部から下方に極端に顔を出して抜け出し、再び使用する際に水切りラックごと持ち上げてしまう等の不都合が生じない。
そして、水を吸って重くなったキッチンスポンジが受け部で受け止められることで、受け部による絞り込み作用が働き、受け部に適宜な量の水が滞留し、この水が呼び水となって流路の形成がなされ、形成された流路に継続的に、水が通じて水切りに大きな効果がある。
【００２３】
そして、本発明の水切りラックが、その前方側板、後方側板が上方に向かって適宜、開き目に形成されている場合には、上方開口部が大きくなり、キッチンスポンジを投入する際に便利である。
【００２４】
そして、本発明の水切りラックが、後方側板に取り付け具を擁すると共に、安定用部材を有している場合には、水切りラックを所要箇所に固定できる。
そして取り付け具に加え安定用部材による支持点が増えるためガタツキ等がなく取り付けが安定する。また安定用部材８の設定高さを選択することにより水切りラックＲの傾斜状態を調整できる。
そして安定用部材の高さを大きくすることにより、水切りラックを後方に傾斜させてセットできるので、落下する水を下端角部に集中させることができる。
【００２５】
そして、本発明の水切りラックが、前方側板の下端に、下方開放口の上辺より下方に延端部が設けられている場合には、露出しているキッチンスポンジを被覆して意匠効果を得ると共に、延端部に到達した部分の水は、延端部の先端に収束されて、水切り効果が得られる。
【図面の簡単な説明】
【００２６】
【図１】図１は、水切りラックの正面から見た実態模式図である。
【図２】図２は、水切りラックの裏面から見た実態模式図である。
【図３】図３は、水切りラックの上面から見た実態模式図である。
【図４】図４（Ａ）は、水切りラックを掛止具により側壁に取り付けた状態を示す実態模式図であり、図４（Ｂ）は、水切りラックを吸盤により側壁に取り付けた状態を示す実態模式図である。
【図５】図５は、水切りラックの基本形である箱体の説明図である。
【図６】図６は、水切りラックの基本形である箱体の側面から見た説明図である。
【図７】図７は、水切りラックの基本形である箱体の上面から見た説明図である。
【図８】図８は、水切りラックの基本形である箱体の正面から見た説明図である。
【図９】図９は、受け部を擁する水切りラックの基本形である箱体の上面から見た説明図である。
【図１０】図１０は、水切りラックにキッチンスポンジを収納した実態模式図である。
【図１１】図１１は、水切りラックに収納されたキッチンスポンジの水が斜め稜線に沿って流下する状態を側面から見た説明図（一部、省略）である。
【図１２】図１２は、キッチンスポンジの下方開放口からの露出状態を示す実態模式図（一部省略）である。
【図１３】図１３は、下方開放口の斜め稜線の畝状突起部を示す実態模式図（一部、省略）である。
【図１４】図１４は、延端部を有する水切りラックの正面から見た実態模式図である。
【図１５】図１５は、水切りラックの内側に設けられる畝部の実態模式図（一部、省略）である。
【図１６】図１６は、水切りラックの内側に設けられる溝部の実態模式図（一部、省略）である。
【発明を実施するための形態】
【００２７】
以下、必要に応じて図面を参照しつつ、本発明の好適な実施形態について詳細に説明する。
【００２８】
（第１の実施の形態）
本実施の形態における水切りラックＲ（図１、図２、図３、図４の各説明図に示す）について、その構成の理解を容易にするために、まず図５、図６、図７、図８、図９の説明図を用いて、これを説明する。
本水切りラックＲは、図５の説明図に示すように、逆直角２等辺三角形を基本とした前方側板１、並びに後方側板２と、この前方側板１と後方側板２とを一定の間隔に、上方に向かって少し開き目の状態でＶ字状に連結する左右の連結斜板３１、３２とで、上方に上方開口部４を有し、内部が中空の箱体Ｂを形成し、これを基本形とする。
【００２９】
そして、この箱体Ｂの下方を、図６の側面から見た説明図に示すように、箱体Ｂの前方側板１の適宜位置から後方側板２の直角の角部２１に向けて斜めに切り落とし（切り落としラインＬ１）、そこに、図７の上面から見た説明図、図８の正面から見た説明図に示すように３角形状の下方開口部５を形成する。
ここで、図８に示すように下方開口部５の上辺５４（前方側板１の下端辺）は、前方側板辺１１に平行となっている。
【００３０】
次に、箱体Ｂの前方側板１の適宜位置から後方側板２の直角部２１に向けて斜めに切り落とすが、その際、図６の説明図に示すように下方開口部５の下端角部５１（後方側板２の下端部）が、左右の連結斜板３１、３２が互いに接結する接結線３３上に位置するように切り落とす（切り落としラインＬ２）。
これにより図９の上面から見た説明図に示すように、下端角部５１と後方側板２との間に、Ｖ字状に接結した左右の連結斜板３１、３２によって受け部６が形成されることとなる。
このように本実施の形態においては、水切りラックＲの底に受け部６を設ける場合と設けない場合とを示している。  
【００３１】
以上、説明図を参考に本水切りラックＲについて箱体Ｂを用いて説明したが、次に、図１の正面から見た実態模式図、図２の裏面から見た実態模式図、図３の上面から見た実態模式図、図４の側面から見た実態模式図により、受け部６を擁する水切りラックＲについて説明する。
図４に示すように、後方側板２の外側の上端に、取り付け具７として、フック形状の掛止具７１を設ける。
また、この掛止具７１に加えて、吸盤７２が取り付け可能になっていて、吸盤７２により壁面等に固定することができる。
吸盤７２は、図２に示すように、後方側板２に設けられた吸盤取り付け穴９に脱着自在となっている。
【００３２】
そして、図４（Ａ）に示すように、後方側板２の上端近傍にある掛止具７１で流しの側壁Ｗ等に引っ掛ける場合、後方側板２の下端近傍に、突起状の安定用部材８が設けられていて、掛止具７１に加えこの安定用部材による支持点が増えるためガタツキ等がなく取り付け状態が安定する。
また安定用部材８の設定高さを選択することにより水切りラックＲの傾斜状態を調整できる。
そして安定用部材の高さを大きくすることにより、水切りラックを後方に傾斜させてセットできるので、落下する水を下端角部５１に集中させることができる。
【００３３】
なお、吸盤７２を使った場合は、掛止具７１や安定用部材８が支持点として作用するので取り付け状態が同様に安定する（図４（Ｂ）参照）  。
また、図１、図３に示すように、前方側板１、並びに連結斜板３１、３２には、ハート形の開口部Ｈが複数設けられていることが好ましい。
この開口部Ｈは、キッチンスポンジＫの乾燥や、水切りラックＲ自体の乾燥に役立つと共に、意匠効果を得ている。
【００３４】
このように構成され、取り付けられた水切りラックＲに、図１０の実態模式図に示すように、使用後の水を含んだ直方体状のキッチンスポンジＫが水切りラックＲに収納される。
そして、図１１の側面から見た説明図に示すように、収納されたキッチンスポンジＫの下端は、下方開口部５の２辺の斜め稜線５２（連結斜板３１，３２の下端）により絞り作用を受けて滲み出た水が斜め稜線５２に沿って流路を形成し、下端角部５１の方向に集中して流下する（矢印で示す）。
そして、キッチンスポンジＫは、図１２の実態説明図（一部、省略）に示すように、連結斜板３１、３２の下方に形成された３角形状部Ｔと受け部６に受け止められて極端に下方に抜け出ることがなく、再度使用する際、キッチンスポンジＫと共に水切りラックＲが持ち上がる現象が抑えられ、使い勝手が良い。
【００３５】
ここで、キッチンスポンジＫの下方開放口５からの露出に関して、図１２の実態模式図（一部、省略）を用いて、更に詳細に説明する。
下方開放部５が従来のような４角形状（図１２の破線で示す）である場合に比べて、本発明のような３角形状である場合には、連結斜板３１、３２の下方に、前述したそれぞれ３角形状部Ｔが形成される。
その結果、キッチンスポンジＫの側面の露出面積が略半分となる。
このように、左右の３角形状部ＴがキッチンスポンジＫを確実に受け止めて、使用するキッチンスポンジＫが柔らかく形態安定性に劣る場合であっても、或いは、小さな直方体のものであっても、下方開口部５からキッチンスポンジＫが抜け出る現象が抑えられる。
【００３６】
ここで、本水切りラックＲには、素材として熱硬化性樹脂を使用している。
厚みは、２〜３ｍｍである。
素材については、熱可塑性樹脂でも、或いはステンレス等の金属板であってもよい。
【００３７】
（第２の実施の形態）
本実施の形態における水切りラックＲは、構成は第１の実施の形態と同様であるが、図１３の実態模式図（一部、省略）に示すように、３角形状の下方開口部５の２辺の斜め稜線５２の内側周縁に、斜め稜線５２に沿って畝状突起５３が設けられる。
この水切りラックＲに、水を含んだキッチンスポンジＫが入れられるとキッチンスポンジＫの表面を畝状突起部５３が押圧することで絞り込み作用がより強くなり、キッチンスポンジＫ内部の水を表面に浮かび上がらせる誘引作用が働く。
この誘引された水が呼び水となって斜め下方向に形成されている畝状突起部５３に沿って流路が形成され、１カ所に集中した水切りが連続して行われて、効果的な水切りが可能となる。  
【００３８】
ここで、２辺の斜め稜線５３の内側周縁部に斜め稜線５２に沿って設けられた畝状突起５３の作用原理について説明する（図示しない）。
いま、水を含んだキッチンスポンジを真っ直ぐに立てた状態で、その側面に斜めに１本の棒を押さえつけると、キッチンスポンジ内の水が表面に誘引され、棒に沿って連続的に流れ出す。
この現象における棒の役割が畝状突起部５３そのものである。
ちなみに、第１の実施の形態における水切りラックＲでは、斜め稜線５２内側に畝状突起部５３は設けられていないものの、水を含んだキッチンスポンジＫ自体の重みでキッチンスポンジＫが、斜め稜線部５２に押しつけられ、斜め稜線５２そのものが、前記１本の棒に近い作用効果を発揮する。
【００３９】
（第３の実施の形態）
本実施の形態における水切りラックＲは、図１４の正面から見た実態模式図に示すように前方側板１の下方に延端部１２が設けられている。
第１の実施の形態で示した水切りラックＲに比較して下方開放口５の上辺５４より下方に前方側板１の下端が延びて延端部１２が形成されている。
また、本水切りラックの前方側板１、後方側板２、連結斜板３１、３２の内側には、図１５の実態模式図（一部、省略）に示す下方に走る縦方向の畝部Ｓ、並びに図１６の実態模式図（一部、省略）に示す溝部Ｍが、いずれか、或いは組み合わせで複数設けられている。
延端部１２にも、その内側に畝部Ｓ、或いは溝部Ｍが設けられていて、下方開放口５から露出したキッチンスポンジＫを被覆して意匠効果を得ると共に、延端部に到達した部分の水は、延端部の先端に収束されて、水切り効果が得られる。
【００４０】
畝部Ｓの効果については、畝部ＳがキッチンスポンジＫ表面を押さえることによる絞り込み作用により絞り出された水が、キッチンスポンジＫの表面と畝部Ｓの付け根部分の空隙部分に流路を形成し、一層の水切り効果が得られる。
また、溝部Ｍについては、水が溝部Ｍに導かれて流路が形成され、水が落下し易くなる効果が得られて、水切りを一層、進める。  
【００４１】
以上、本発明をその実施の形体を例に説明したが、本発明は要旨の変更のない限り、実施の形態のみに限定されるものではなく多様な変形例が可能である。              
例えば、前方側板１、後方側板２の上端は、直線状や波形状、或いは上方、下方に湾曲している等、自在である。
そして、水切りラックＲの内面に設けられる畝部Ｓや、斜め稜線５２周縁に設けられる畝状突起５３の形状も、その断面が半月状であったり、三角形状、更には、途中で切れて不連続のものであっても良い。溝部Ｍの断面形状についても限定されるものではない。
【００４２】
下方開放口５についても基本的に３角形状が維持されていれば良く、例えば斜め稜線５２が上下に湾曲しているなども許容範囲内であるし、下方開口部５の下端角部５１が、円弧状に丸みを帯びていること等も当然、可能である。
更に、本発明の水切りラックＲを全体的に丸みを帯びた形状にする等も自在である。
また、水切りラックＲの側面に設けられる開口部Ｈの形状についてもハート形に限らず、星形、円形など自在であるし、大きさも数も自在である。
また、後方側板２に開口部Ｈを設けることも当然可能である。
【００４３】
そして、水切りラックＲを形成する際、箱体Ｂの下方を切り落とす方向を、後方側板２から前方側板１の角部２１に向けて行い、下方開放口５の向きを反対にした水切りラックＲを形成することも可能である。
また、対象とするキッチンスポンジＫについても、必ずしもその形状を直方体と限定するものではない。
【産業上の利用可能性】
【００４４】
本発明の水切りラックＲの水切り効果については、本発明の水切りラックＲについてのみではなく、いかなるタイプの水切りラックにも充分応用可能である。
【符号の説明】
【００４５】
１・・・前方側板
１１・・・前方側板の上辺
１２・・・延端部
２・・・後方側板
２１・・・角部
３１、３２・・・連結斜板
３３・・・接結線部
４・・・上方開口部
５・・・下方開放口
５１・・・下端角部
５２・・・斜め稜線
５３・・・畝状突起部
５４・・・下方開放口の上辺
６・・・受け部
７・・・取り付け具
７１・・・掛止具
７２・・・吸盤
８・・・安定用部材
９・・・吸盤取り付け穴
Ｂ・・・箱体
Ｈ・・・開口部
Ｋ・・・キッチンスポンジ
Ｌ１、Ｌ２・・・切り落としライン
Ｍ・・・溝部
Ｒ・・・水切りラック
Ｓ・・・畝部
Ｔ・・・３角形状部
Ｗ・・・側壁
【図１】
0005661548.tif 000002
【図２】
0005661548.tif 000003
【図３】
0005661548.tif 000004
【図４】
0005661548.tif 000005
【図５】
0005661548.tif 000006
【図６】
0005661548.tif 000007
【図７】
0005661548.tif 000008
【図８】
0005661548.tif 000009
【図９】
0005661548.tif 000010
【図１０】
0005661548.tif 000011
【図１１】
0005661548.tif 000012
【図１２】
0005661548.tif 000013
【図１３】
0005661548.tif 000014
【図１４】
0005661548.tif 000015
【図１５】
0005661548.tif 000016
【図１６】
0005661548.tif 000017